(57)【特許請求の範囲】
【請求項１】
矩形函状の本体枠の背面の中央部から上部にかけて孔を形成し、この本体枠の内部空間に遊技盤を着脱自在に固定した弾球遊技機であって、
本体枠の一側方の縁辺部に設けられて本体枠の背面との間に遊技盤を挟むための隙間を形成し、本体枠の一側方の縁辺部における遊技盤縁辺部設置箇所に遊技盤の縁辺部を案内する一対の案内部と、各案内部に遊技盤の表面を本体枠の背面側から弾性力により押圧する一対の弾性部材と、本体枠の他側方の縁辺部に設けられ、遊技盤の表面の一部に当接して本体枠の内側空間に指向する一対の突設部と、各突設部に設けられ、本体枠に対して遊技盤を位置決め固定する一対の係止部材とを備え、
一の案内部と弾性部材とを一組として本体枠の上下方向にずらして隣接配置し、
各弾性部材を板バネにより遊技盤の縁辺部から裏面にかけて接触するＬ字状に形成してその先端部を本体枠の背面側に屈曲させ、各弾性部材の末端部を屈曲して本体枠の一側方の縁辺部正面に設けたことを特徴とする弾球遊技機。
【請求項２】
本体枠の一側方の縁辺部における上下に、ガラス扉を回動自在に設けた請求項１記載の弾球遊技機。
【発明の詳細な説明】
【０００１】
【発明の属する技術分野】
本発明は、本体枠と、本体枠の内側空間に固定される遊技盤とを有する弾球遊技機に関し、詳しくは、弾球遊技機の本体枠の内側空間に遊技盤を着脱する構造に関する。
【０００２】
【従来の技術】
従来、弾球遊技機における遊技盤の本体枠の内側空間への取り付けは、遊技盤を本体枠縁辺部にネジ等の締結部材で固定することによりなされていた。
【０００３】
【発明が解決しようとする課題】
しかしながら、上述の従来技術では、弾球遊技機の本体枠の内側空間に遊技盤を取り付ける作業および本体枠の内側空間から遊技盤を取り外す作業にはドライバ等の専用工具が必要であって、遊技盤の取り付けおよび取り外し作業に工数が嵩んでいるという問題点がある。
【０００４】
本発明は、このような状況を鑑みてなされたもので、弾球遊技機において、本体枠の内側空間に遊技盤を取り付ける作業および本体枠の内側空間から遊技盤を取り外す作業を、専用の工具を使うことなく容易にすることができる本体枠の内側空間に遊技盤を着脱する構造を提供することを課題とする。
【０００５】
【課題を解決するための手段】
前述の課題を解決するため、本発明に係る弾球遊技機は、次のような手段を採用する。
【０００６】
【課題を解決するための手段】
本発明においては上記課題を達成するため、矩形函状の本体枠の背面の中央部から上部にかけて孔を形成し、この本体枠の内部空間に遊技盤を着脱自在に固定したものであって、
本体枠の一側方の縁辺部に設けられて本体枠の背面との間に遊技盤を挟むための隙間を形成し、本体枠の一側方の縁辺部における遊技盤縁辺部設置箇所に遊技盤の縁辺部を案内する一対の案内部と、各案内部に遊技盤の表面を本体枠の背面側から弾性力により押圧する一対の弾性部材と、本体枠の他側方の縁辺部に設けられ、遊技盤の表面の一部に当接して本体枠の内側空間に指向する一対の突設部と、各突設部に設けられ、本体枠に対して遊技盤を位置決め固定する一対の係止部材とを備え、
一の案内部と弾性部材とを一組として本体枠の上下方向にずらして隣接配置し、
各弾性部材を板バネにより遊技盤の縁辺部から裏面にかけて接触するＬ字状に形成してその先端部を本体枠の背面側に屈曲させ、各弾性部材の末端部を屈曲して本体枠の一側方の縁辺部正面に設けたことを特徴としている。
【０００７】
本発明によれば、本体枠の縁辺部に設けられた案内部で遊技盤の縁辺部が本体枠の縁辺部の遊技盤縁辺部設置個所へ案内され、案内部の設けられた個所以外の本体縁辺部に設けられた係止部材によって遊技盤が本体枠に対して位置決め固定されるように係止される。これによって、本体枠の内側空間に遊技盤を取り付ける作業、および本体枠の内側空間から遊技盤を取り外す作業をドライバ等の専用工具を使うことなく、迅速かつ容易にすることができる。また、本体枠の縁辺部に設けられた弾性部材の弾性力により、遊技盤の表面が案内部に押圧される。これにより、遊技盤と案内部とのがたつきがなくなり、遊技盤の本体枠に対する遊技盤の面に垂直な方向の位置精度をさらに向上させることができる。
【００１０】
また、本体枠の一側方の縁辺部における上下に、ガラス扉を回動自在に設けることが好ましい。
【００１１】
本発明によれば、本体枠からガラス扉を開き、ガラス扉の回動支点側に設けられている案内部に本体枠縁辺部の遊技盤縁辺部設置個所へ遊技盤縁辺部を案内し、案内部の設けられた個所以外の本体縁辺部に設けられている係止部材によって遊技盤が本体枠に対して位置決め固定されるように係止される。これによって、係止部材によって遊技盤を係止する作業をガラス扉によって妨げられることなくすることができる。
【００１４】
【発明の実施の形態】
以下、本発明に係る弾球遊技機の実施の形態を図面に基づいて説明する。
図１〜図７は、本発明に係る弾球遊技機の実施の形態を示すものである。
【００１５】
図１は、本発明に係る弾球遊技機１の外観を示す斜視図、図２は、弾球遊技機１から前面扉（後述するガラス扉６および下扉７）を取り外した状態の正面図である。
【００１６】
弾球遊技機１は、外枠２に固設されている本体枠３と、本体枠３の内側空間に着脱可能に固定されている遊技盤４とを有している。
【００１７】
本体枠３は、図３に示すように、四方端部から起立する縁部３ａ、３ｂ、３ｃ、３ｄを有する略矩形函状に形成され、略中央から上部には略矩形状の孔３ｅを有する。
【００１８】
本体枠３の一方の縁辺部３ｆには、縁部３ａの先端部から内側に所定距離突出して遊技盤４の縁辺部を縁部３ａの内面に当接する遊技盤縁辺部設置個所に案内する背面３ｈとで間を形成する案内部３ｉ、３ｊが設けられている。
【００１９】
また、本体枠３の一方の縁辺部３ｆには、案内部３ｉ、３ｊと背面３ｈとの間であって縁部３ａの内面に当接する遊技盤縁辺部設置個所に案内された遊技盤４を案内部３ｉ、３ｊに押圧する弾性部材３ｍ、３ｎが設けられている。弾性部材３ｍ、３ｎとしては、例えば、縁部３ａの一端部に３ｍ１、３ｎ１により固着され縁部３ａの内面から背面３ｈに沿ってＬ字状に屈曲されさらに背面部３ｍ２、３ｎ２が背面３ｈに対して突出するように屈曲されて形成される板バネが用いられる。弾性部材３ｍ、３ｎの素材としては、例えば、バネ用金属板が好適に用いられる。
【００２０】
本体枠３の他方の縁辺部３ｇには、背面３ｈから内側空間に向けて突設され遊技盤４の一方の面と係合する突設部３ｐ、３ｑが設けられている。
【００２１】
また、突設部３ｐ、３ｑには、遊技盤４を本体枠３に係止する係止部材３ｒ、３ｓが設けられている。係止部材３ｒ、３ｓとしては、例えば、図４に示すように、突設部３ｐを貫通する回転自在な軸３ｔと、軸３ｔの一端部に固設され突設部３ｐとの間に遊技盤４を係止する正面視で略楕円形状のつまみ部３ｕと、軸３ｔの他端部に固設され軸３ｔの遊技盤４側への抜けを防止する鍔部３ｖとからなるものが用いられる。
【００２２】
なお、本体枠３には、遊技盤４の他に遊技盤４の下方に配置され遊技球を１発ずつ遊技盤４に向けて発射する発射装置５等が設けられている。
【００２３】
また、本体枠３の一方の縁辺部３ｆには、遊技盤４の前面を覆うガラス扉６と遊技盤４の下方を覆う下扉７とがヒンジ３ｘ、３ｙ、３ｚを介して回動自在に設けられている。ガラス扉６には、ガラス扉６の上部に配置されている枠ランプ８およびガラス扉６の左右上部に配置されているスピーカ９等が設けられ、下扉７には、貸球および賞球を貯留する受け皿１０および発射装置５を操作する操作ハンドル１１等が設けられている。
【００２４】
遊技盤４は、図５に示すように、略矩形板状に形成され、縁辺部の他辺部４ｂには、例えば、本体枠３に係止される際に本体枠３の係止部材３ｒ、３ｓのそれぞれのつまみ部３ｕを挿通させる正面視で略楕円形状の係止穴４ｅ、４ｆが設けられている。
【００２５】
また、遊技盤４は、図示しない遊技球を不規則に落下させる障害の役目を持つ複数の釘や特別図柄表示装置４ｇ、始動入賞口４ｈおよび保留球ランプ４ｉ、その他、盤面ランプ４ｊ、電動役物４ｋ、通常入賞口４ｍ、大入賞口４ｎ，風車４ｐおよびスルーチャッカｑ等を備えている。
【００２６】
特別図柄表示装置４ｇは、遊技盤４の中央部に配置され、特別図柄（特別な遊技状態（例えば、大当り）に移行する性質を持つような図柄）を変動表示させる装置であって、例えば、ＬＣＤ（Ｌｉｑｕｉｄ  Ｃｒｙｓｔａｌ  Ｄｉｓｐｌａｙ）が用いられる。
【００２７】
始動入賞口４ｈは、特別図柄表示装置４ｇの下方に配置され、発射装置５から発射され誘導レール４ｒに沿って遊技領域４ｓに打出された遊技球が入賞することによって特別図柄表示装置４ｇを変動表示させるとともに賞球払出をさせるものである。
【００２８】
保留球ランプ４ｉは、特別図柄表示装置４ｇが変動表示中に始動入賞口４ｈへ遊技球が入賞する度に入賞回数を所定回数（例えば、４回）まで加算し、特別図柄表示装置４ｇの変動表示が１入賞分終了する度に入賞回数を減算した値を表示させるものである。
【００２９】
また、遊技盤４の背面には図示しない制御装置が設けられている。制御装置は特別図柄表示装置４ｇの変動表示内容や入賞の検知および管理など、弾球遊技機１の遊技動作を制御する。
【００３０】
次に、このように構成された弾球遊技機１において、本体枠３に遊技盤４を着脱させる動作について図６〜図７に基づいて説明する。
【００３１】
最初に、本体枠３に遊技盤４を取り付ける動作について説明する。まず、図６（ａ）に示すように、本体枠３の案内部３ｉ、３ｊと弾性部材３ｍ、３ｎとの間に遊技盤４の一方の縁辺部４ａを本体枠３の背面３ｈに対し突出するように屈曲された弾性部材３ｍ、３ｎの形成部に沿って斜めとなるように縁部３ａの内面に当接するまで挿入する。
【００３２】
次いで、図６（ｂ）に示すように、本体枠３の突設部３ｐ、３ｑに設けられた係止部材３ｒ、３ｓのそれぞれのつまみ部３ｕへ遊技盤４の一方の縁辺部４ａより弾性部材３ｍ、３ｎを撓ませながら遊技盤４の他方の縁辺部４ｂに形成された係止穴４ｅ、４ｆを挿入し遊技盤４と本体枠３とを係合させる。このとき、遊技盤４は弾性部材３ｍ、３ｎを撓ませ続けているためその弾性力によって案内部３ｉ、３ｊに押圧される。
なお、遊技盤４の係止穴４ｅ、４ｆは、図６に示すように、遊技盤４から連設したそれぞれの連設部４ｃに設けてもよい。
さらに、図８に示すように、遊技盤４と本体枠３との係合に関し、縁辺部４ｂから本体枠縁辺部に対してつまみ部３ｕ等により突出させることのできる突出部１２により行うようにしてもよい。
【００３３】
そして、図６（ｃ）に示すように、係止部材３ｒ、３ｓのそれぞれのつまみ部３ｕを略９０°回転させる。これによって、遊技盤４が本体枠３に対して遊技盤４の面に垂直方向および遊技盤４の面に平行な方向にがたつきがなく位置決めされて係止され本体枠３に取り付けられる。図７（ａ）は、遊技盤４が本体枠３に取り付けられた状態時の図２のＡ部とＢ部の正面拡大図である。
【００３４】
なお、遊技盤４を本体枠３から取り外す場合には、図７（ｂ）に示すように、係止部材３ｒ、３ｓのそれぞれのつまみ部３ｕを図７（ａ）の状態から略９０°回転させる。これによって、遊技盤４と本体枠３の係止部材３ｒ、３ｓの係止が解除されて遊技盤４を本体枠３から取り外すことができるようになる。
なお、本体枠３への遊技盤４の着脱方向に関しては、弾球遊技機１の前面側からでも後面側からでも設計に応じて適宜に変更可能とすることができる。
【００３５】
【発明の効果】
以上のように本発明によれば、本体枠の縁辺部に設けられた案内部で遊技盤縁辺部が本体枠縁辺部の遊技盤縁辺部設置個所に案内され、案内部の設けられた個所以外の本体縁辺部に設けられた係止部材によって遊技盤が本体枠に対して位置決めされるように係止される。これによって、本体枠の内側空間に遊技盤を取り付ける作業、および本体枠から遊技盤を取り外す作業をドライバ等の専用工具を使うことなく、迅速かつ容易にすることができるという効果がある。
また、本体枠の縁辺部に設けられた弾性部材の弾性力により、遊技盤の表面が案内部に押圧される。これによって、遊技盤と案内部とのがたつきがなくなり、遊技盤の本体枠に対する遊技盤の面に垂直な方向の位置精度をさらに向上させることができる効果がある。
【００３６】
また、遊技盤の表面の一部が本体枠縁辺部から内側空間に突設されている突設部と当接して遊技盤の面に垂直な方向の位置決めがされて、突設部に設けられた係止部材によって遊技盤の面に平行な方向の位置決めがされて係止される。これによって、突設部でのみ遊技盤の面に垂直な方向の位置決めがされるため本体枠縁辺部と遊技盤との接触面積を少なくすることができ、かつ突設部で遊技盤が係止されるため遊技盤に変形を生じさせることがなく、結果として、遊技盤の本体枠に対する遊技盤の面に垂直な方向の位置精度を向上させることができる効果がある。
【００３７】
本発明の第３の要旨によれば、本体枠からガラス扉を開いて、ガラス扉の回動支点側に設けられている案内部に遊技盤縁辺部を本体枠縁辺部の遊技盤縁辺部設置個所に案内して、案内部の設けられた個所以外の本体縁辺部に設けられている係止部材で遊技盤が本体枠に対して位置決めされるように係止される。これによって、係止部材によって遊技盤を係止する作業をガラス扉によって妨げられることなくすることができる効果がある。
【図面の簡単な説明】
【図１】本発明に係る弾球遊技機の外観を示す斜視図である。
【図２】図１の弾球遊技機の前面扉を取り外した状態の正面図である。
【図３】図１の弾球遊技機の本体枠を示す斜視図である。
【図４】図３の本体枠に設けられている係止部材の側面図である。
【図５】図１の弾球遊技機の遊技盤を示す正面図である。
【図６】図３の本体枠に遊技盤を着脱させる動作を示す図である。
【図７】図３の本体枠に遊技盤を着脱させる動作を示す図である。
【図８】図３の本体枠に遊技盤を着脱させる動作を示す図である。
【符号の説明】
１          弾球遊技機
２          外枠
３          本体枠
３ｉ、３ｊ  案内部
３ｍ、３ｎ  弾性部材
３ｒ、３ｓ  係止部材
４          遊技盤
４ｅ、４ｆ  係止穴
５          発射装置
６          ガラス扉
７          下扉
８          枠ランプ
９          スピーカ
１０        受け皿
１１        操作ハンドル
【図１】
0003889965.tif 000002
【図２】
0003889965.tif 000003
【図３】
0003889965.tif 000004
【図４】
0003889965.tif 000005
【図５】
0003889965.tif 000006
【図６】
0003889965.tif 000007
【図７】
0003889965.tif 000008
【図８】
0003889965.tif 000009